(57)【特許請求の範囲】
【請求項１】
裏面に塗布された粘着剤が剥離紙にて剥離可能に覆われている封筒下紙と封筒上紙との三周辺を封着して一辺開口型の封筒部を有し、前記封筒部内に所定枚の帳票が分離可能にして綴じ合わされ、前記封筒上紙に設けられた配送情報記載部に記載する配送情報が封筒上紙から下位の前記所定枚の帳票に設けられた配送情報記載部に同時複写する構成とした配送伝票において、
上記封筒部の開口側を除く封筒上紙の三周辺の内、少なくとも封筒上紙の上辺と下辺とのそれぞれを該上下辺の長手方向に亘って外方に向けて延設して下面に粘着剤を塗布してなる貼付片を設け、かつ、上記剥離紙の上辺と下辺とに前記貼付片に対応して外方に延設してなる延設片を設けて、該延設片が前記貼付片の粘着剤を剥離可能に覆うことを特徴とする配送伝票。
【発明の詳細な説明】
【０００１】
【発明の属する技術分野】
本発明は、配送物の配送業務に用いられ、配送物と一体となって取り扱われる配送伝票に関するものである。
【０００２】
【発明が解決しようとする課題】
従来から配送物を配送する業務に使用される配送伝票にあっては複数枚の帳票を組み合わせたものとし、配送過程の各部署などにおいて帳票を切り取って配送物の取り扱い管理などが行い易くなるようにしている。そして、このような複数枚の帳票からなる配送伝票の一つとして封筒形態のものがある。図４と図５はその例を示していて、配送伝票１は、封筒上紙２と封筒下紙３との三周辺を接着剤４により封着して一辺開口型とした封筒部５を有し、その封筒部５内に複数枚の帳票６を分離可能にして綴じ合わせて封筒部５の開口７から必要に応じて帳票６を抜き取ることができるようにしたものであり、前記封筒上紙２と封筒部５の内部に配置される各帳票６とのそれぞれにあっては受取人住所氏名などの配送情報を記載するための配送情報記載部８が設けられていて、封筒上紙２の配送情報記載部２側から記載した配送情報が下位の各配送情報記載部８それぞれに同時に複写できる構成を有していた。そして、この配送伝票１全体を配送物に対して一体的に取り付けることができるようにするために、上記封筒下紙３の裏面には予め粘着剤９が塗布されて剥離紙１０により剥離可能に覆われており、必要時にこの剥離紙１０を剥ぎ取って前記粘着剤９を表出させ、この粘着剤９によって配送伝票１を配送物に貼着させていた。
【０００３】
このように上述した封筒型の配送伝票にあっては封筒部の内部に帳票を収納しているために、帳票のバラ付きが抑えられて取り扱いが容易に行える利点がある。
ところで、配送物としては冷凍保存や冷蔵保存などの低い温度の状態を保ちながら配送するものがあり、その配送物に上記配送伝票を貼着したまま冷凍庫や冷蔵庫に納め入れて配送を行うようにしている。しかしながら、配送物を冷凍庫や冷蔵庫から取り出した際にその配送物の表面が結露し、貼着している配送伝票の封筒部の封着部の端縁にその結露水が達して封着部の端縁から染み込むことがある。そして、染み込んだ結露水で封筒部の内部に配置されている帳票が濡れ、その帳票に記載されている配送情報が汚れるなどして判読できなくなったり、帳票の耐久性が低下して破れ易くなるなどの不都合が生じていた。
そこで本発明は上記事情に鑑み、配送物の表面に生じた結露水が配送伝票における封筒部の封着部の端縁に達し難くすることを課題とし、封筒部の内部に納められる帳票が濡れることによる配送情報の汚損や帳票の強度低下を無くすことを目的賭するものである。
【０００４】
【課題を解決するための手段】
本発明は上記課題を考慮してなされたもので、裏面に塗布された粘着剤が剥離紙にて剥離可能に覆われている封筒下紙と封筒上紙との三周辺を封着して一辺開口型の封筒部を有し、前記封筒部内に所定枚の帳票が分離可能にして綴じ合わされ、前記封筒上紙に設けられた配送情報記載部に記載する配送情報が封筒上紙から下位の前記所定枚の帳票に設けられた配送情報記載部に同時複写する構成とした配送伝票において、上記封筒部の開口側を除く封筒上紙の三周辺の内、少なくとも封筒上紙の上辺と下辺とのそれぞれを該上下辺の長手方向に亘って外方に向けて延設して下面に粘着剤を塗布してなる貼付片を設け、かつ、上記剥離紙の上辺と下辺とに前記貼付片に対応して外方に延設してなる延設片を設けて、該延設片が前記貼付片の粘着剤を剥離可能に覆うことを特徴とする配送伝票を提供して、上記課題を解消するものである。
【０００５】
【発明の実施の形態】
つぎに本発明を図１から図３に示す実施の形態に基づいて詳細に説明する。なお、図４と図５に示す従来例と構成が重複する部分は同符号を付してその説明を省略する。
本発明の配送伝票１においては、図１に示されているように、封筒部５を構成する封筒上紙２の上辺２ａと下辺２ｂとをその上下辺の長手方向に亘って辺部全体を外方に向けて延設することにより、封筒部５の封着された辺部から外方に張り出た状態にして貼付片１１が一体に設けられていて、その貼付片１１にあってはその下面側に粘着剤９が予め塗布されている。また、図２に示すように剥離紙１０にあっては、前記貼付片１１に対応してその剥離紙１０の上辺１０ａと下辺１０ｂとをその上下辺の長手方向に亘って全体的に外方に向けて延設してなる延設片１２が一体にして設けられており、前記貼付片１１に塗布されている粘着剤９をこの延設片１２が剥離可能にして覆っている。
【０００６】
このように、配送伝票１では封筒部５における封筒上紙２の上辺２ａ側と下辺２ｂ側とに貼付片１１を備えているため、配送伝票１を配送物に貼着する際に剥離紙１０を剥ぎ取ることで前記貼付片１１の裏面に設けられている粘着剤９も表出するようになり、図３に示されているようにこの状態で配送伝票１を配送物１３に貼着すれば、前記貼付片１１が直接配送物１３に貼着して封筒部５における上辺側の封着部端縁ａや下辺側の封着部端縁ｂが外部に表出しないようになる。即ち、前記上辺側の封着部端縁ａや下辺側の封着部端縁ｂが貼付片１１によって覆われるようになり、仮に配送伝票１の回りにおける配送物表面が結露し、その結露水が配送伝票１側に垂れてきたとしても前記貼付片１１で結露水が堰止められて、封筒上紙１によって隠されている上記封着部端縁ａ，ｂまでに結露水が達しないようになる。
なお、上記した実施例は、貼付片を封筒上紙の上辺側と下辺側とに設けたものとして説明しているが、本発明はこの実施の例に限定されるものではなく、封筒部の開口側を除いた三周辺に亘ってこの貼付片を設けるようにしてもよい。また、封筒部内の帳票は１枚でもよく、任意の枚数でよい。
【０００７】
【発明の効果】
以上説明したように、本発明によれば、裏面に塗布された粘着剤が剥離紙にて剥離可能に覆われている封筒下紙と封筒上紙との三周辺を封着して一辺開口型の封筒部を有し、前記封筒部内に所定枚の帳票が分離可能にして綴じ合わされ、前記封筒上紙に設けられた配送情報記載部に記載する配送情報が封筒上紙から下位の前記所定枚の帳票に設けられた配送情報記載部に同時複写する構成とした配送伝票において、上記封筒部の開口側を除く封筒上紙の三周辺の内、少なくとも封筒上紙の上辺と下辺とのそれぞれを該上下辺の長手方向に亘って外方に向けて延設して下面に粘着剤を塗布してなる貼付片を設け、かつ、上記剥離紙の上辺と下辺とに前記貼付片に対応して外方に延設してなる延設片を設けて、該延設片が前記貼付片の粘着剤を剥離可能に覆うことを特徴とするものである。
このように、封筒部の少なくとも上辺側と下辺側とに配送物に対して直接貼り付けられる貼付片を備えているため、配送物にこの配送伝票を貼着するという通常の貼着操作で封筒部の少なくとも上下辺の封着部端縁が外部から保護されるようになり、冷凍保存や冷蔵保存された配送物を取り扱う場合に生じる結露水などが配送伝票側に垂れてきたとしても、貼付片で結露水を堰止めるようになり、封筒部内への侵入を防止できるようになるなど、実用性に優れた効果を奏するものである。
【図面の簡単な説明】
【図１】本発明に係る配送伝票の一例を示す説明図である。
【図２】一例を封筒部を横断する断面で示す説明図である。
【図３】同じく一例の配送物に対する貼着状態を断面で示す説明図である。
【図４】従来の配送伝票の一例を示す説明図である。
【図５】従来例を封筒部を横断する断面で示す説明図である。
【符号の説明】
１…配送伝票
２…封筒上紙  ２ａ…上辺  ２ｂ…下辺
３…封筒下紙
５…封筒部
９…粘着剤
１０…剥離紙  １０ａ…上辺  １０ｂ…下辺
１１…貼付片
１２…延設片
【図１】
0003562697.tif 000002
【図２】
0003562697.tif 000003
【図３】
0003562697.tif 000004
【図４】
0003562697.tif 000005
【図５】
0003562697.tif 000006